【事件の表示】
　特願２０００−２２２５６９「インクジェットプリンタヘッド及びその製造方法」拒絶査定不服審判事件〔平成１４年　２月　５日出願公開、特開２００２−　３６５４５〕について、次のとおり審決する。
【結　論】
　本件審判の請求は、成り立たない。
【理　由】
第１　手続の経緯
　本願は、平成１２年７月２４日の出願であって、平成１８年３月２３日付けで手続補正がなされ、平成１９年８月２２日付けで拒絶査定がなされ、これに対して、同年９月２８日に拒絶査定不服審判の請求がなされたものである。
　
第２　本願発明
１　平成１８年３月２３日付け手続補正により補正された明細書の特許請求の範囲の請求項１の記載は、次のとおりのものである。（下線は審決で付した。以下同じ。）
　
「複数個のノズル、この各ノズル毎の圧力室及びこれらに連通する傾斜状の貫通路を列状に配置したキャビティープレートを備えるインクジェットプリンタヘッドにおいて、
　前記キャビテ
ィプ
　前記ノズルプレートには、その第１の方向に沿い、且つ前記
第１の方向と直交する第２の方向の中心線
　前記ベースプレートには、前記
第２の方向の中心線
　前記各圧力室の端部のうち前記中心線に近い側の先端部から前記各ノズルに連通する前記各貫通路は、前記第１の方向に沿うように、前記複数枚のプレートを傾斜状に貫通して形成され、且つ各貫通路の内周面がプレートの隣接部で滑らかに形成されていることを特徴とするインクジェットプリンタヘッド。」
　
２　上記１の「第１の方向に沿い、且つ
前記第１の方向と直交する第２の方向の中心線
　上記１の「前記
第２の方向の中心線
　
３　上記１の「前記キャビテ
ィプ
　
４　上記２及び３のとおり、特許請求の範囲の請求項１の記載は、明りょうでない事項を含むから、以下、明細書の特許請求の範囲以外の部分及び図面の記載を参酌して検討する。
　
５　特許請求の範囲の請求項１の「第２の方向の中心線」については、明細書の【０００８】及び【００４０】に請求項１と同様の記載があるのみで、これ以外、明細書及び図面に記載も示唆もなく、かつ、願書に最初に添付した明細書及び図面には記載も示唆も全くない。
　
６　一方、明細書の【００１４】には「また、前記ベースプレート１４には、
その長辺（前記第１の方向）に沿う中心線
　
７　上記５及び６から、請求項１の「第１の方向と直交する第２の方向の中心線」は、「第
１
　
８　特許請求の範囲の請求項１の「前記キャビテ
ィプ
ー
ー
ー
　
９　したがって、本願の請求項１に係る発明（以下「本願発明」という。）は、平成１８年３月２３日付け手続補正により補正された明細書及び図面の記載からみて、次のとおりのものと認められる。
　
「複数個のノズル、この各ノズル毎の圧力室及びこれらに連通する傾斜状の貫通路を列状に配置したキャビティープレートを備えるインクジェットプリンタヘッドにおいて、
　前記キャビティ
ー
　前記ノズルプレートには、その第１の方向に沿い、且つ前記
第１の方向の中心線
　前記ベースプレートには、前記
第１の方向の中心線
前記第１の方向と直交する
　前記各圧力室の端部のうち前記中心線に近い側の先端部から前記各ノズルに連通する前記各貫通路は、前記第１の方向に沿うように、前記複数枚のプレートを傾斜状に貫通して形成され、且つ各貫通路の内周面がプレートの隣接部で滑らかに形成されていることを特徴とするインクジェットプリンタヘッド。」
　
第３　引用刊行物及び引用発明
１　原査定の拒絶の理由に引用され、本願の出願前に頒布された刊行物である特開平７−１９５６８５号公報（以下「引用例１」という。）には、以下の事項が図とともに記載されている。
　
（１）「【０００５】
【課題を解決するための手段】すなわち、本発明はこのような課題を達成するための
積層型のインクジェットプリンタ用記録ヘッド
圧力室からノズルに至るインクの流路を滑らかな曲線状にして、インク中の気泡が隅部に滞留しないようにした
　
（２）「【０００７】はじめに、この
積層型記録ヘッドの積層構成
多数のノズル２を穿設したノズルプレート１
この背面には
スペーサ４
積層され
【０００８】この
スペーサ４には
第１の通孔６が穿設され
【０００９】この
スペーサ４の背面には
インク供給プレート８
が
添設され
ここには
第１の通孔６に連通する第２の通孔１０が形成され
【００１０】一方、この
インク供給プレート８の背面に
添着された補強プレート１２
その背面に積層された圧力室プレート１６
【００１１】この
補強プレート１２には
圧力室１７と第２の通孔１０とを結ぶ第３の通孔１４が形成され
圧力室プレート１６には
圧力室１７が形成され
【００１２】また、この
圧力室プレート１６の背面には
振動板１９
積層され
その背面には圧電振動子２０
添設され
　
（３）「【００１７】図４は、
上述したインクの流路構成をもとにレイアウトした記録ヘッドに関する本発明の他の実施例
【００１８】…（略）…
全体のノズル２‥‥を同一線Ｌ−Ｌ上に配列させ
【００１９】この実施例では、圧力室１７の先端部外方に各通孔６、１０、１４を位置させたことにより、圧力室１７の巾Ｗによって決められる各
ノズル２‥‥の配列ピッチＰ
その配列密度を２倍に高め
　
（４）「【００２０】また、図５は、圧力プレート１６、つまり第４の薄板材に形成した
各圧力室の配置等を変えることなく、これらの各圧力室をノズルプレート１に位置を換えて設けた各ノズル２に対応させて連通させることができる
【００２１】すなわちこのものは、図５（ａ）（ｂ）に示したように、スペーサ４、供給プレート８及び補強プレート１２の各薄板材に形成する
通孔６、１０、１４の位置を変えるだけで
【００２２】このものは、各薄板材４、８、１２に形成する通孔６、１０、１４の中心を、圧力室１７のインク供給側先端部１７ａの中心とノズル２の中心とを結ぶ線Ａ−Ａ上に位置させることにより、
圧力室の長手方向軸線上にノズルが位置していなくても
　
（５）図４から、
圧力室１７は、各ノズル２毎に形成され、かつ、ノズル２の配列ピッチＰの間隔で線Ｌ−Ｌを挟んで２列の千鳥配列状に配置され、各列の圧力室１７は、線Ｌ−Ｌに直交する方向において互いに逆方向に延びる細幅のもの
通孔６，１０，１４は、各ノズル２毎に線Ｌ−Ｌに直交する方向に順にずれて形成され、各ノズル２と各圧力室１７の線Ｌ−Ｌに近い方の端部とを連通するもの
　
（６）上記（１）ないし（５）から、引用例１には、次の発明（以下「引用発明」という。）が記載されていると認められる。
　
「多数のノズルを穿設したノズルプレートと、第１の通孔が穿設されたスペーサと、前記第１の通孔に連通する第２の通孔が形成されたインク供給プレートと、圧力室と前記第２の通孔とを結ぶ第３の通孔が形成された補強プレートと、前記圧力室が形成された圧力室プレートと、振動板と、圧電振動子との積層構成を有するインクジェットプリンタ用記録ヘッドであって、
　前記多数のノズルは、同一線Ｌ−Ｌ上に配列ピッチＰの間隔で配列され、その配列密度を２倍に高めたものであり、
　前記圧力室は、前記各ノズル毎に形成され、かつ、前記ノズルの配列ピッチＰの間隔で前記線Ｌ−Ｌを挟んで２列の千鳥配列状に配置され、各列の前記圧力室は、前記線Ｌ−Ｌに直交する方向において互いに逆方向に延びる細幅のものであり、
　前記各第１の通孔、第２の通孔及び第３の通孔は、前記線Ｌ−Ｌに直交する方向に順にずれて形成され、前記各ノズルと前記各圧力室の前記線Ｌ−Ｌに近い方の端部とを連通するものである、
　前記圧力室から前記ノズルに至るインクの流路を滑らかな曲線状にして、インク中の気泡が隅部に滞留しないようにしたインクジェットプリンタ用記録ヘッド。」
　
２　原査定の拒絶の理由に引用され、本願の出願前に頒布された刊行物である特開平４−１２６２５７号公報（以下「引用例２」という。）には、以下の事項が図とともに記載されている。
　
（１）「このように、
圧力発生室３８からオリフィス３４にかけてインク通路３９が斜めに傾斜せしめられ
ほとんど水平部分が存在しなくなる
その結果
気泡はインク通路３９内に留まることなく
容易に除去可能
　
（２）「このように、
圧力発生室４９からオリフィス４５にかけて実質的に斜めの階段状のインク通路５０
長い水平部分が存在しなくなる
その結果
気泡はインク通路５０内に留まることなく
容易に除去可能
　
第４　対比
　本願発明と引用発明とを対比する。
１　引用発明の「多数のノズル」、「穿設」、「ノズルプレート」、「『スペーサ』、『インク供給プレート』及び『補強プレート』」、「圧力室」、「圧力室プレート」、「積層構成」、「『ノズルプレート』、『スペーサ』、『インク供給プレート』、『補強プレート』及び『圧力室プレート』の『積層構成』」、「インクジェットプリンタ用記録ヘッド」、「『線Ｌ−Ｌ』の方向」、「配列ピッチＰ」、「第１の通孔、第２の通孔及び第３の通孔」、「端部」、「順にずれて」及び「線Ｌ−Ｌに直交する方向」は、それぞれ、本願発明の「複数個のノズル」、「穿設」、「ノズルプレート」、「複数枚のプレート」、「圧力室」、「ベースプレート」、「積層体」、「キャビティープレート」、「インクジェットプリンタヘッド」、「第１の方向」、「『所定のピッチ』又は『配置ピッチ』」、「貫通路」、「『端部』又は『先端部』」、「傾斜状」及び「第２の方向」に相当する。
　
２　引用発明の「キャビティープレート（ノズルプレート、スペーサ、インク供給プレート、補強プレート及び圧力室プレートの積層構成）」は、多数のノズル（複数個のノズル）を穿設したノズルプレートと、線Ｌ−Ｌに直交する方向に順にずれて（傾斜状）形成された第１の通孔、第２の通孔及び第３の通孔（貫通路）が形成されたスペーサ、インク供給プレート及び補強プレート（複数枚のプレート）と、各ノズル毎に圧力室が形成された圧力室プレート（ベースプレート）の積層構成（積層体）であるから、本願発明の「キャビティープレート」と「複数個のノズル、この各ノズル毎の圧力室及びこれらに連通する傾斜状の貫通路を列状に配置し」たものである点で一致するとともに、本願発明の「前記ノズルが穿設されたノズルプレートと、前記圧力室が『穿設』形成されたベースプレートと、これら両プレートの間に配置される複数枚のプレートとからなる積層体にて構成されるキャビティープレート」と、「前記ノズルが穿設されたノズルプレートと、前記圧力室が形成されたベースプレートと、これら両プレートの間に配置される複数枚のプレートとからなる積層体にて構成」されるものである点で一致する。
　
３　引用発明の「インクジェットプリンタヘッド（インクジェットプリンタ用記録ヘッド）」が、ノズルプレート、スペーサ、インク供給プレート、補強プレート及び圧力室プレートの積層構成を有することと、上記２から、引用発明の「インクジェットプリンタヘッド」と本願発明の「インクジェットプリンタヘッド」とは、「複数個のノズル、この各ノズル毎の圧力室及びこれらに連通する傾斜状の貫通路を列状に配置したキャビティープレートを備える」ものである点で一致する。
　
４　引用発明の「多数のノズル（複数個のノズル）」は、ノズルプレートに穿設され、かつ、同一線Ｌ−Ｌ（第１の方向の線）上に配列ピッチＰ（所定のピッチ）の間隔で配列されるものであるから、引用発明は、「前記ノズルプレートには、その第１の方向に沿い、『且つ前記第１の方向の中心線を挟んで２列の千鳥』配列状にて、ノズルが所定のピッチの間隔にて設けられ」という事項を備える本願発明と、「前記ノズルプレートには、その第１の方向に沿う配列にて、ノズルが所定のピッチの間隔にて設けられ」という事項を備える点で一致する。
　
５　引用発明の「圧力室」は、圧力室プレート（ベースプレート）に形成され、かつ、ノズルの配列ピッチＰ（配置ピッチ）の間隔で線Ｌ−Ｌ（第１の方向）を挟んで２列の千鳥配列状に配置され、各列の圧力室は、線Ｌ−Ｌに直交する方向（第２の方向）において互いに逆方向に延びる細幅のものであるから、引用発明と本願発明とは、「前記ベースプレートには、前記第１の方向の中心線を挟んで前記第１の方向と直交する第２の方向に互いに逆方向に延びる２列の細幅の圧力室が、前記第１の方向に沿い且つ前記ノズルの配置ピッチの間隔にて千鳥配列状に配置され」という事項を備える点で一致する。
　
６　引用発明の「貫通路（第１の通孔、第２の通孔及び第３の通孔）」は、スペーサ、インク供給プレート及び補強プレート（複数枚のプレート）に形成され、かつ、線Ｌ−Ｌに直交する方向に順にずれて（傾斜状）形成され、各ノズルと各圧力室の線Ｌ−Ｌ（第１の方向の線）に近い方の端部とを連通するものであるから、引用発明は、「前記各圧力室の端部のうち前記中心線に近い側の先端部から前記各ノズルに連通する前記各貫通路は、前記第１の方向に沿うように、前記複数枚のプレートを傾斜状に貫通して形成され、『且つ各貫通路の内周面がプレートの隣接部で滑らかに形成され』ている」という事項を備える本願発明と、「前記各圧力室の端部のうち前記中心線に近い側の先端部から前記各ノズルに連通する前記各貫通路は、前記複数枚のプレートを傾斜状に貫通して形成されている」という事項を備える点で一致する。
　
７　上記１ないし６から、本願発明と引用発明とは、
「複数個のノズル、この各ノズル毎の圧力室及びこれらに連通する傾斜状の貫通路を列状に配置したキャビティープレートを備えるインクジェットプリンタヘッドにおいて、
　前記キャビティプレートは、前記ノズルが穿設されたノズルプレートと、前記圧力室が形成されたベースプレートと、これら両プレートの間に配置される複数枚のプレートとからなる積層体にて構成され、
　前記ノズルプレートには、その第１の方向に沿う配列にて、ノズルが所定のピッチの間隔にて設けられ、
　前記ベースプレートには、前記第１の方向の中心線を挟んで前記第１の方向と直交する第２の方向に互いに逆方向に延びる２列の細幅の圧力室が、前記第１の方向に沿い且つ前記ノズルの配置ピッチの間隔にて千鳥配列状に配置され、
　前記各圧力室の端部のうち前記中心線に近い側の先端部から前記各ノズルに連通する前記各貫通路は、前記複数枚のプレートを傾斜状に貫通して形成されているインクジェットプリンタヘッド。」である点で一致し、次の点で相違する。
　
相違点１：
　前記圧力室の形成が、本願発明では、「穿設」により行われるのに対して、引用発明では、どのように行われるのか不明な点。
　
相違点２：
　本願発明では、「各貫通路の内周面がプレートの隣接部で滑らかに形成され」ているのに対して、引用発明では、貫通路を含む、圧力室からノズルに至るインクの流路が滑らかな曲線状ではあるものの、貫通路の内周面はそのように形成されていない点。
　
相違点３：
　本願発明では、前記ノズルが「前記第１の方向の中心線を挟んで２列の千鳥配列状」に設けられ、前記貫通路が「前記第１の方向に沿うように」形成されているのに対して、引用発明では、前記ノズルの配列密度が２倍に高められてはいるものの、前記ノズルが同一線Ｌ−Ｌ上に配列され、前記貫通路が前記線Ｌ−Ｌに直交する方向に形成されている点。
　
第５　判断
　上記相違点１ないし３について検討する。
１　相違点１について
（１）インクジェットヘッドの圧力室を穿設により形成することは、本願の出願前に周知である（以下「周知技術１」という。例．特開２０００−１９０４９８号公報（【００５１】、【００６１】及び図３参照。【００５１】には「一方、
圧電式インクジェットヘッド
圧力室シート１２
から構成され
圧力室シート１２を
ワイヤ放電加工を施すことにより
インク圧力室１３を形成するための長孔を
貫通させる
インクジェット式記録ヘッドにおける圧力発生室
圧力発生室となる貫通孔
貫通孔１ａ、１ｂ、１ｃ、１ａ’、１ｂ’、１ｃ’は
異方性エッチングにより形成され
（２）したがって、引用発明の圧力室を穿設により形成して、上記相違点１に係る本願発明の構成となすことは、当業者が周知技術１に基づいて容易になし得たことである。
　
２　相違点２について
（１）引用例２には、圧力発生室からオリフィスにかけてのインク通路が、斜めに傾斜せしめられ、ほとんど水平部分が存在しなくなるか、実質的に斜めの階段状で、長い水平部分が存在しなくなると、気泡がインク通路内に留まることなく容易に除去可能となることが記載されている（上記第３の２参照。）ところ、「長い水平部分が存在しなくなる」階段状のインク通路より、「ほとんど水平部分が存在しなくなる」斜めに傾斜したインク通路の方が、気泡がインク通路内に留まらないようにする上で優れていることは、当業者に自明である。
（２）引用発明は、線Ｌ−Ｌに直交する方向に順にずれて形成され、各ノズルと各圧力室の線Ｌ−Ｌに近い方の端部とを連通する「第１の通孔、第２の通孔及び第３の通孔」を備え、「インク中の気泡が隅部に滞留しないようにした」ものであるところ、線Ｌ−Ｌに直交する方向に順にずれて形成された第１の通孔、第２の通孔及び第３の通孔は、階段状のものといえる。
（３）したがって、引用発明の第１の通孔、第２の通孔及び第３の通孔を、インク中の気泡が隅部に滞留しないようにするために、階段状のものに代えて、斜めに傾斜したものとすることは、当業者が引用例２の記載事項に基づいて容易に想到し得たことである。
（４）引用発明の第１の通孔、第２の通孔及び第３の通孔（貫通路）は、積層されたスペーサ、インク供給プレート及び補強プレート（複数枚のプレート）に形成されるものであるから、上記（３）で、引用発明の第１の通孔、第２の通孔及び第３の通孔を斜めに傾斜したものとすれば、「各貫通路の内周面がプレートの隣接部で滑らかに形成され」ることになる。
（５）よって、引用発明において、上記相違点２に係る本願発明の構成となすことは、当業者が引用例２の記載事項に基づいて容易に想到し得たことである。
　
３　相違点３について
（１）インクジェットヘッドのノズルを２列の千鳥配列とし、その配列密度を高めることは、本願の出願前に周知である（以下「周知技術２」という。例．特開２０００−１０８３４４号公報（【００３２】及び【００３６】参照。【００３２】には「
インクジェットヘッド１は
ノズルプレート１３とを備え
ノズルプレート１３にはノズル１５を２列千鳥状に配列してノズル密度を高くした
インクジェットヘッドの吐出口面
上下で千鳥配列とし配列密度は２倍
（２）一般に、インクジェットヘッドにおいて、ノズルをどこに設けるかは、当業者が適宜決定すべき設計事項というべきである。
（３）引用例１には、圧力室の長手方向軸線上にノズルが位置していなくても、圧力室の配置を変えることなく、通孔の位置を変えるだけで、位置を換えて設けたノズルと圧力室とを連通させることが記載されている（上記第３の１（４）及び図５参照。）。
（４）したがって、ノズルの配列密度が２倍に高められている引用発明において、ノズルを、同一線Ｌ−Ｌ上に配列するのに代えて、前記線Ｌ−Ｌを挟んだ２列の千鳥配列となる（上記（１）参照。）ように、圧力室の前記線Ｌ−Ｌに近い方の端部から前記線Ｌ−Ｌの方向に離れた位置に設け（上記（２）参照。）、前記圧力室の配置を変えることなく、第１の通孔、第２の通孔及び第３の通孔の位置を変えるだけで、前記設けたノズルと前記圧力室の前記線Ｌ−Ｌに近い方の端部とを連通させる（上記（３）参照。）ことは、当業者が、引用例１の記載事項及び周知技術２に基づいて容易に想到し得たことである。
（５）上記（４）で、引用発明において、ノズルを、圧力室の前記線Ｌ−Ｌに近い方の端部から前記線Ｌ−Ｌの方向に離れた位置に設け、第１の通孔、第２の通孔及び第３の通孔の位置を変え、前記設けたノズルと前記圧力室の前記線Ｌ−Ｌに近い方の端部とを連通させれば、前記第１の通孔、第２の通孔及び第３の通孔（貫通路）は、線Ｌ−Ｌ（第１の方向）に沿うように形成されることになる。
（６）よって、引用発明において、上記相違点３に係る本願発明の構成となすことは、当業者が、引用例１の記載事項及び周知技術２に基づいて容易に想到し得たことである。
　
４　効果について
　本願発明が奏する効果は、引用発明１が奏する効果、引用例１の記載事項、引用例２の記載事項、周知技術１が奏する効果及び周知技術２が奏する効果から当業者が予測し得たものである。
　
５　まとめ
　以上のとおり、本願の請求項１に係る発明は、当業者が、引用例１に記載された発明、引用例１の記載事項、引用例２の記載事項、周知技術１及び周知技術２に基づいて容易に発明をすることができたものである。
　
第６　むすび
　上記第５のとおり、本願の請求項１に係る発明は、当業者が、引用例１に記載された発明、引用例１の記載事項、引用例２の記載事項、周知技術１及び周知技術２に基づいて容易に発明をすることができたものであるから、特許法第２９条第２項の規定により特許を受けることができない。
　よって、結論のとおり審決する。